(57)【要約】【課題】ショッピングモールにおいて、各店舗で購入した商品を一括受け取り所で一括して受け取る商品受け渡しシステムであって、ユーザ登録を必要とせずにお客が利用でき、またお客が不便と思わずに携帯可能な機器を使用して認証し、且つ管理サーバを用いないシステムを提供することを目的とする。【解決手段】店舗で購入者は携帯電話３をＥｄｙ読み取り装置５にかざしＥｄｙ番号を読み取らせる。その番号がＱＲコードに変換された上印刷されたラベル６が作成される。ラベル６は、商品１に貼付され、一括受け取り所に配送される。一括受け取り所では、購入者はＥｄｙ読み取り装置９に携帯電話３をかざしてＥｄｙ番号を読み取らせる。一方で、バーコードリーダ１０により商品１に貼付されたラベル６からＱＲコードが読み取られる。それを取得しＥｄｙ読み取り装置９で読み取ったＥｄｙ番号と比較して認証する。【選択図】図１
2007241913.tif 000002
【特許請求の範囲】
【請求項１】
購入する商品の決済を行う決済場所と購入した前記商品の受け渡しを行う受け渡し場所とを対象として、前記商品を購入する購入者が所有する電子マネーチップにより前記商品の決済を行う商品受け渡しシステムにおいて、
決済時に前記電子マネーチップの固有情報を読み出す第１読み出し手段と、
前記第１読み出し手段で読み出した前記固有情報を印刷し前記商品に貼付されるラベルを作成する出力手段と、
購入した前記商品の受け渡し時に前記電子マネーチップの固有情報を読み出す第２読み出し手段と、
購入した前記商品に貼付されたラベルに印刷された前記固有情報を読み出す第３読み出し手段と、
前記第２読み出し手段で読み出した前記固有情報と前記第３読み出し手段により読み出した前記固有情報とを照合する照合手段と、
前記照合手段により照合した結果を通知する通知手段とを備えることを特徴とする商品受け渡しシステム。
【請求項２】
前記第１読み出し手段で読み出した前記固有情報を暗号化して暗号化固有情報を生成する暗号化手段と、
前記暗号化固有情報を解読して前記固有情報を復号化する解読手段とを備え、
前記出力手段は前記暗号化手段で暗号化した暗号化固有情報を印刷してラベルを作成し、
前記第３読み出し手段は前記ラベルに印刷された前記暗号化固有情報を前記解読手段によって復号化するために読み出し、
前記照合手段は前記解読手段により復号化した前記固有情報と前記第２読み出し手段で読み出した前記固有情報とを照合することを特徴とする請求項１に記載の商品受け渡しシステム。
【請求項３】
前記第１読み出し手段により読み出された前記固有情報を１次元コードまたは２次元コードに符号化する符号化手段を備え、
前記出力手段は前記符号化手段で符号化した固有情報を印刷して前記ラベルを作成し、
前記第３読み出し手段は前記符号化した固有情報を復号化して前記固有情報を読み出すことを特徴とする請求項１に記載の商品受け渡しシステム。
【請求項４】
前記購入者の顔を撮影した画像を入力する入力手段を備え、
前記出力手段は前記入力手段により入力された画像を印刷して前記ラベルを作成することを特徴とする請求項１乃至３の何れかに記載の商品受け渡しシステム。
【請求項５】
購入する商品の決済を行う決済場所と購入した前記商品の受け渡しを行う受け渡し場所とを対象として、前記商品を購入する購入者が所有する電子マネーチップにより前記商品の決済を行う商品受け渡しシステムにおいて、
決済時に前記電子マネーチップの固有情報を読み出す第１読み出し手段と、
前記第１読み出し手段により読み出した前記固有情報を１次元コードまたは２次元コードに符号化する第１符号化手段と、
前記購入者の顔を撮影した画像を入力する入力手段と、
前記入力手段により入力した前記画像を２次元コードに符号化する第２符号化手段と、
前記第１符号化手段で符号化された固有情報及び前記第２符号化手段で符号化された画像を印刷し前記商品に貼付されるラベルを作成する出力手段と、
購入した前記商品の受け渡し時に前記電子マネーチップの固有情報を読み出す第２読み出し手段と、
購入した前記商品に貼付された前記ラベルに印刷された前記符号化された固有情報を復号化して固有情報を読み出す第３読み出し手段と、
購入した前記商品に貼付された前記ラベルに印刷された前記符号化された画像を復号化して画像を読み出す第４読み出し手段と、
前記第４読み出し手段により読み出した画像を表示する表示手段と、
前記第２読み出し手段で読み出した前記固有情報と前記第３読み出し手段により読み出した前記固有情報とを照合する照合手段と、
前記照合手段により照合した結果を通知する通知手段とを備えることを特徴とする商品受け渡しシステム。
【請求項６】
購入する商品の決済を行う決済場所と購入した前記商品の受け渡しを行う受け渡し場所とを対象として、前記商品を購入する購入者が所有する電子マネーチップにより前記商品の決済を行う商品受け渡しシステムにおいて、
決済時に前記電子マネーチップの固有情報を読み出す第１読み出し手段と、
前記第１読み出し手段で読み出した前記固有情報を暗号化して暗号化固有情報を生成する第１暗号化手段と、
前記第１暗号化手段により暗号化した前記暗号化固有情報を１次元コードまたは２次元コードに符号化する第１符号化手段と、
前記購入者の顔を撮影した画像を入力する入力手段と、
前記入力手段により入力された画像を暗号化して暗号化画像を生成する第２暗号化手段と、
前記第２暗号化手段により暗号化した前記暗号化画像を２次元コードに符号化する第２符号化手段と、
前記第１符号化手段で符号化した前記暗号化固有情報及び前記第２符号化手段で符号化した前記暗号化画像を印刷し前記商品に貼付されるラベルを作成する出力手段と、
購入した前記商品の受け渡し時に前記電子マネーチップの固有情報を読み出す第２読み出し手段と、
購入した前記商品に貼付された前記ラベルに印刷された前記符号化された暗号化固有情報を復号化して前記暗号化固有情報を読み出す第３読み出し手段と、
前記第３読み出し手段により読み出された前記暗号化固有情報を解読して前記固有情報を復号化する第１解読手段と、
購入した前記商品に貼付された前記ラベルに印刷された前記符号化された暗号化画像を復号化して前記暗号化画像を読み出す第４読み出し手段と、
前記第４読み出し手段により読み出された前記暗号化画像を解読して前記画像を復号化する第２解読手段と、
前記第２解読手段により復号化した画像を表示する表示手段と、
前記第２読み出し手段で読み出した前記固有情報と前記第１解読手段により解読した前記固有情報とを照合する照合手段と、
前記照合手段により照合した結果を通知する通知手段とを備えることを特徴とする商品受け渡しシステム。
【請求項７】
購入する商品の決済を行う決済場所と購入した前記商品の受け渡しを行う受け渡し場所とを対象として、前記商品を購入する購入者が所有する電子マネーチップにより前記商品の決済を行う商品受け渡しシステムにおいて、
決済時に前記電子マネーチップの固有情報を読み出す第１読み出し手段と、
前記購入者の顔を撮影した画像を入力する入力手段と、
前記第１読み出し手段により読み出した前記固有情報と前記入力手段により入力した前記画像とを、まとめた１つの２次元コードに符号化する符号化手段と、
前記符号化手段で前記固有情報及び前記画像を符号化してなる前記２次元コードを印刷し前記商品に貼付されるラベルを作成する出力手段と、
購入した前記商品の受け渡し時に前記電子マネーチップの固有情報を読み出す第２読み出し手段と、
購入した前記商品に貼付された前記ラベルに印刷された前記２次元コードから前記固有情報と前記画像とを読み出す第３読み出し手段と、
前記第３読み出し手段により読み出した画像を表示する表示手段と、
前記第２読み出し手段で読み出した前記固有情報と前記第３読み出し手段により読み出した前記固有情報とを照合する照合手段と、
前記照合手段により照合した結果を通知する通知手段とを備えることを特徴とする商品受け渡しシステム。
【請求項８】
購入する商品の決済を行う決済場所と購入した前記商品の受け渡しを行う受け渡し場所とを対象として、前記商品を購入する購入者が所有する電子マネーチップにより前記商品の決済を行う商品受け渡しシステムにおいて、
決済時に前記電子マネーチップの固有情報を読み出す第１読み出し手段と、
前記購入者の顔を撮影した画像を入力する入力手段と、
前記第１読み出し手段で読み出した前記固有情報と前記入力手段により入力された前記画像とをまとめて暗号化して暗号化情報を生成する暗号化手段と、
前記暗号化手段により暗号化した前記暗号化情報を２次元コードに符号化する符号化手段と、
前記符号化手段で前記暗号化情報を符号化してなる前記２次元コードを印刷し前記商品に貼付されるラベルを作成する出力手段と、
購入した前記商品の受け渡し時に前記電子マネーチップの固有情報を読み出す第２読み出し手段と、
購入した前記商品に貼付された前記ラベルに印刷された前記符号化情報を復号化して前記暗号化情報を読み出す第３読み出し手段と、
前記第３読み出し手段により読み出された前記暗号化情報を解読して前記固有情報と前記画像を復号化する解読手段と、
前記解読手段により復号化した前記画像を表示する表示手段と、
前記第２読み出し手段で読み出した前記固有情報と前記解読手段により解読した前記固有情報とを照合する照合手段と、
前記照合手段により照合した結果を通知する通知手段とを備えることを特徴とする商品受け渡しシステム。
【請求項９】
前記電子マネーチップは、購入者の携帯端末に内蔵されていることを特徴とする請求項１乃至８の何れかに記載の商品受け渡しシステム。
【発明の詳細な説明】
【技術分野】
【０００１】
本発明は、購入者が商品を購入する場所と異なる場所で商品を受け取る商品受け渡しシステムに関し、特に、購入者の確認を簡便に行うことができる商品受け渡しシステムに関するものである。
【背景技術】
【０００２】
従来より、ショッピングモールにおいて各店舗で購入する物品を持ち運ぶ煩わしさを解消するため、各店舗で購入する物品を１箇所で一括して受け取るようにした提案が数々なされている。
【０００３】
例えば、以下のような提案である。ショッピングモールの主催者がサーバを設置し、サーバではショッピングモールのＷｅｂサイトとショッピングモールに入っている各店舗のＷｅｂサイトを提供している。各店舗は個々に端末を有してサーバに接続されている。受理センターにある端末もサーバに接続されている。お客は各自の所持する携帯電話からＷｅｂサイトにアクセスして商品を予約すると、商品は各店舗から受理センターに運ばれるか予め受理センターに在庫として置いてある中から選ばれ、受理センターで一時預かってもらう。お客は後から受理センターで一括して商品の決済と受け取りを行う。お客はＷｅｂサイトをアクセスすることで商品の購入予約をキャンセルすることも可能である。尚、お客は予めショッピングモール内の登録センターで登録してパスワードを発行して貰う。そのパスワードがないと携帯電話からＷｅｂサイト上で商品の予約はできないようになっている（特許文献１参照）。
【０００４】
また、別の提案として以下のような提案もある。複数の店舗のそれぞれに設置された店舗端末装置と集荷所に設置された集荷所端末と商品販売管理装置と購入者の使用する購入者端末装置とがあり、それらがインターネットに接続されている。商品販売管理装置は各店舗の販売する商品を購入できるＷｅｂページを提供しており、購入者端末装置からの商品購入の予約があると商品販売管理装置は購入者端末装置に対して引換証の情報を発行する。また、店舗端末装置と集荷所端末へ商品と引換証情報とが送られる。店舗では商品を集荷所に搬入し、集荷所では購入者が印刷して持ってきた引換証かまたは引換証情報に含まれる「受け取りキー」を提示することによって購入者の認証を行い、商品の決済と引き渡しを行う。
【０００５】
尚、予め購入者にはＷｅｂページ上で登録をさせ、その登録情報の中にはクレジットカードの番号も含まれる。もし購入者が引換所に現れなかった場合は、違約金としてクレジットカードによりお金が引き落とされる。また、購入者は引換所で商品の購入予約をキャンセルすることも可能である。むしろ、この提案では、購入者が複数の商店を回って買い物をすることは時間が掛かるので、購入者は予め欲しい商品を申し込んでおいて、各商店に対しそれらを集荷所に持ってこさせ、改めて実物を見てから購入することができるということが趣旨であり、購入予約のキャンセルは普通に発生する（特許文献２参照）。
【特許文献１】特開２００２−３４２６０１号公報
【特許文献２】特開２００２−１５１４１号公報
【発明の開示】
【発明が解決しようとする課題】
【０００６】
しかしながら、上述した特許文献１に記載の商品受け渡しシステムでは、お客はショッピングモール毎にユーザ登録をする必要があり不便であった。そのため、ショッピングモールとしても不便さを敬遠するお客には、登録して貰えず、せっかく、この商品受け渡しシステムを導入しても十分に利用して貰えないという問題があった。
【０００７】
また、特許文献２に記載の商品受け渡しシステムも同様に、お客はショッピングモール毎にユーザ登録をする必要があり不便であり、そのため、ショッピングモールとしても不便さを敬遠するお客に登録して貰えず、せっかく商品受け渡しシステムを導入しても十分に利用して貰えなかった。また、１箇所で実物を見て購入することができることはお客にとっては利点だが、各商店にとっては購入されるかどうか分からない商品まで集荷所に搬入する手間が掛かるという問題があった。あるいは、特許文献１のように、集荷所に在庫を置いておいてもよいがその場合在庫を置く場所が余計に必要となってしまっていた。
【０００８】
さらに、特許文献１、２に記載の商品受け渡しシステムともパスワードまたは印刷した引換証（引換証情報に含まれる「受け取りキー」でも可）をお客が管理しておく必要があり、そのパスワードを忘れたり、引換証を紛失したりする可能性があった。また、この商品受け渡しシステムには管理サーバが必要なのでその分コストが掛かるという問題もあった。
【０００９】
そこで、本発明は、上述した問題点を解決するためになされたものであり、ユーザ登録を必要とせずにお客が利用でき、またお客が不便と思わずに携帯可能な機器を使用してお客の固有情報を認証できる商品受け渡しシステムであり、且つ管理サーバを用いないシステムを提供することを目的とする。
【課題を解決するための手段】
【００１０】
前記目的を達成するため請求項１に係る商品受け渡しシステムは、購入する商品の決済を行う決済場所と購入した前記商品の受け渡しを行う受け渡し場所とを対象として、前記商品を購入する購入者が所有する電子マネーチップにより前記商品の決済を行う商品受け渡しシステムにおいて、決済時に前記電子マネーチップの固有情報を読み出す第１読み出し手段と、前記第１読み出し手段で読み出した前記固有情報を印刷し前記商品に貼付されるラベルを作成する出力手段と、購入した前記商品の受け渡し時に前記電子マネーチップの固有情報を読み出す第２読み出し手段と、購入した前記商品に貼付されたラベルに印刷された前記固有情報を読み出す第３読み出し手段と、前記第２読み出し手段で読み出した前記固有情報と前記第３読み出し手段により読み出した前記固有情報とを照合する照合手段と、前記照合手段により照合した結果を通知する通知手段とを備えることを特徴とする。
【００１１】
また、請求項２に係る商品受け渡しシステムは、請求項１に記載の商品受け渡しシステムにおいて、前記第１読み出し手段で読み出した前記固有情報を暗号化して暗号化固有情報を生成する暗号化手段と、前記暗号化固有情報を解読して前記固有情報を復号化する解読手段とを備え、前記出力手段は前記暗号化手段で暗号化した暗号化固有情報を印刷してラベルを作成し、前記第３読み出し手段は前記ラベルに印刷された前記暗号化固有情報を前記解読手段によって復号化するために読み出し、前記照合手段は前記解読手段により復号化した前記固有情報と前記第２読み出し手段で読み出した前記固有情報とを照合することを特徴とする。
【００１２】
また、請求項３に係る商品受け渡しシステムは、請求項１に記載の商品受け渡しシステムにおいて、前記第１読み出し手段により読み出された前記固有情報を１次元コードまたは２次元コードに符号化する符号化手段を備え、前記出力手段は前記符号化手段で符号化した固有情報を印刷して前記ラベルを作成し、前記第３読み出し手段は前記符号化した固有情報を復号化して前記固有情報を読み出すことを特徴とする。
【００１３】
また、請求項４に係る商品受け渡しシステムは、請求項１乃至３の何れかに記載の商品受け渡しシステムにおいて、前記購入者の顔を撮影した画像を入力する入力手段を備え、前記出力手段は前記入力手段により入力された画像を印刷して前記ラベルを作成することを特徴とする。
【００１４】
また、請求項５に係る商品受け渡しシステムは、購入する商品の決済を行う決済場所と購入した前記商品の受け渡しを行う受け渡し場所とを対象として、前記商品を購入する購入者が所有する電子マネーチップにより前記商品の決済を行う商品受け渡しシステムにおいて、決済時に前記電子マネーチップの固有情報を読み出す第１読み出し手段と、前記第１読み出し手段により読み出した前記固有情報を１次元コードまたは２次元コードに符号化する第１符号化手段と、前記購入者の顔を撮影した画像を入力する入力手段と、前記入力手段により入力した前記画像を２次元コードに符号化する第２符号化手段と、前記第１符号化手段で符号化した固有情報及び前記第２符号化手段で符号化した画像を印刷し前記商品に貼付されるラベルを作成する出力手段と、購入した前記商品の受け渡し時に前記電子マネーチップの固有情報を読み出す第２読み出し手段と、購入した前記商品に貼付された前記ラベルに印刷された前記符号化された固有情報を復号化して固有情報を読み出す第３読み出し手段と、購入した前記商品に貼付された前記ラベルに印刷された前記符号化された画像を復号化して画像を読み出す第４読み出し手段と、前記第４読み出し手段により読み出した画像を表示する表示手段と、前記第２読み出し手段で読み出した前記固有情報と前記第３読み出し手段により読み出した前記固有情報とを照合する照合手段と、前記照合手段により照合した結果を通知する通知手段とを備えることを特徴とする。
【００１５】
また、請求項６に係る商品受け渡しシステムは、購入する商品の決済を行う決済場所と購入した前記商品の受け渡しを行う受け渡し場所とを対象として、前記商品を購入する購入者が所有する電子マネーチップにより前記商品の決済を行う商品受け渡しシステムにおいて、決済時に前記電子マネーチップの固有情報を読み出す第１読み出し手段と、前記第１読み出し手段で読み出した前記固有情報を暗号化して暗号化固有情報を生成する第１暗号化手段と、前記第１暗号化手段により暗号化した前記暗号化固有情報を１次元コードまたは２次元コードに符号化する第１符号化手段と、前記購入者の顔を撮影した画像を入力する入力手段と、前記入力手段により入力された画像を暗号化して暗号化画像を生成する第２暗号化手段と、前記第２暗号化手段により暗号化した前記暗号化画像を２次元コードに符号化する第２符号化手段と、前記第１符号化手段で符号化した前記暗号化固有情報及び前記第２符号化手段で符号化した前記暗号化画像を印刷し前記商品に貼付されるラベルを作成する出力手段と、購入した前記商品の受け渡し時に前記電子マネーチップの固有情報を読み出す第２読み出し手段と、購入した前記商品に貼付された前記ラベルに印刷された前記符号化された暗号化固有情報を復号化して前記暗号化固有情報を読み出す第３読み出し手段と、前記第３読み出し手段により読み出された前記暗号化固有情報を解読して前記固有情報を復号化する第１解読手段と、購入した前記商品に貼付された前記ラベルに印刷された前記符号化された暗号化画像を復号化して前記暗号化画像を読み出す第４読み出し手段と、前記第４読み出し手段により読み出された前記暗号化画像を解読して前記画像を復号化する第２解読手段と、前記第２解読手段により復号化した画像を表示する表示手段と、前記第２読み出し手段で読み出した前記固有情報と前記第１解読手段により解読した前記固有情報とを照合する照合手段と、前記照合手段により照合した結果を通知する通知手段とを備えることを特徴とする。
【００１６】
また、請求項７に係る商品受け渡しシステムは、購入する商品の決済を行う決済場所と購入した前記商品の受け渡しを行う受け渡し場所とを対象として、前記商品を購入する購入者が所有する電子マネーチップにより前記商品の決済を行う商品受け渡しシステムにおいて、決済時に前記電子マネーチップの固有情報を読み出す第１読み出し手段と、前記購入者の顔を撮影した画像を入力する入力手段と、前記第１読み出し手段により読み出した前記固有情報と前記入力手段により入力した前記画像とを、まとめた１つの２次元コードに符号化する符号化手段と、前記符号化手段で前記固有情報及び前記画像を符号化してなる前記２次元コードを印刷し前記商品に貼付されるラベルを作成する出力手段と、購入した前記商品の受け渡し時に前記電子マネーチップの固有情報を読み出す第２読み出し手段と、購入した前記商品に貼付された前記ラベルに印刷された前記２次元コードから前記固有情報と前記画像とを読み出す第３読み出し手段と、前記第３読み出し手段により読み出した画像を表示する表示手段と、前記第２読み出し手段で読み出した前記固有情報と前記第３読み出し手段により読み出した前記固有情報とを照合する照合手段と、前記照合手段により照合した結果を通知する通知手段とを備えることを特徴とする。
【００１７】
また、請求項８に係る商品受け渡しシステムは、購入する商品の決済を行う決済場所と購入した前記商品の受け渡しを行う受け渡し場所とを対象として、前記商品を購入する購入者が所有する電子マネーチップにより前記商品の決済を行う商品受け渡しシステムにおいて、決済時に前記電子マネーチップの固有情報を読み出す第１読み出し手段と、前記購入者の顔を撮影した画像を入力する入力手段と、前記第１読み出し手段で読み出した前記固有情報と前記入力手段により入力された前記画像とをまとめて暗号化して暗号化情報を生成する暗号化手段と、前記暗号化手段により暗号化した前記暗号化情報を２次元コードに符号化する符号化手段と、前記符号化手段で前記暗号化情報を符号化してなる前記２次元コードを印刷し前記商品に貼付されるラベルを作成する出力手段と、購入した前記商品の受け渡し時に前記電子マネーチップの固有情報を読み出す第２読み出し手段と、購入した前記商品に貼付された前記ラベルに印刷された前記符号化情報を復号化して前記暗号化情報を読み出す第３読み出し手段と、前記第３読み出し手段により読み出された前記暗号化情報を解読して前記固有情報と前記画像を復号化する解読手段と、前記解読手段により復号化した前記画像を表示する表示手段と、前記第２読み出し手段で読み出した前記固有情報と前記解読手段により解読した前記固有情報とを照合する照合手段と、前記照合手段により照合した結果を通知する通知手段とを備えることを特徴とする。
【００１８】
また、請求項９に係る商品受け渡しシステムは、請求項１乃至８の何れかに記載の商品受け渡しシステムにおいて、前記電子マネーチップは、購入者の携帯端末に内蔵されていることを特徴とする。
【発明の効果】
【００１９】
請求項１に係る商品受け渡しシステムでは、決済時に第１読み出し手段を介して購入者が所有する電子マネーチップの固有情報が読み出される。その後、出力手段により第１読み出し手段で読み出された固有情報が印刷されたラベルが作成される。作成されたラベルは購入された商品に貼付される。購入した商品の受け渡し時には、一方で第２読み出し手段を介して購入者が所有する電子マネーチップの固有情報が読み出される。また、他方では第３読み出し手段を介して購入した商品に貼付されたラベルに印刷された固有情報が読み出される。そして、第２読み出し手段で読み出された固有情報と第３読み出し手段により読み出された固有情報とが照合手段によって照合される。照合した結果は通知手段により通知される。
【００２０】
これにより、購入者は本商品受け渡しシステムを利用するにあたっては電子マネーチップの固有情報を読み出させるだけである。電子マネーチップ自体は、決算に使用するので購入者は携帯している。また、受け渡し時の認証にはラベルに印刷してある情報があればよい。以上の理由から、ユーザ登録を必要とせずに購入者が利用でき、また、購入者が不便と思わずに携帯可能な機器を使用してお客の固有情報を認証できる商品受け渡しシステムであり、且つ管理サーバを用いないシステムを提供することが可能である。
【００２１】
また、請求項２に係る商品受け渡しシステムでは、暗号化手段を介して第１読み出し手段で読み出した固有情報が暗号化される。
【００２２】
これにより、固有情報が第３者に容易に知られにくくなる。そのため、固有情報を使用した不正を未然に防ぐことができる。
【００２３】
また、請求項３に係る商品受け渡しシステムでは、符号化手段を介して第１読み出し手段で読み出した固有情報が符号化される。
【００２４】
これにより、固有情報が第３者に容易に知られにくくなる。そのため、固有情報を使用した不正を未然に防ぐことができる。
【００２５】
また、請求項４に係る商品受け渡しシステムでは、出力手段を介して第１読み出し手段で読み出した固有情報と購入者の顔を撮影した画像とを印刷したラベルが作成される。
【００２６】
これにより、認証をより確実に行うことができる。そのため、第３者が購入者になりすまして不正に商品を貰い受けてしまうことを防ぐことができる。
【００２７】
また、請求項５に係る商品受け渡しシステムでは、出力手段を介して、第１符号化手段によって符号化された固有情報と、第２符号化手段によって符号化された購入者の顔を撮影した画像とを印刷したラベルが作成される。
【００２８】
これにより、固有情報が第３者に容易に知られにくくなるとともに、認証をより確実に行うことができる。そのため、固有情報を使用した不正を未然に防ぐことができるとともに、第３者が購入者になりすまして不正に商品を貰い受けてしまうことを防ぐことができる。
【００２９】
また、請求項６に係る商品受け渡しシステムでは、出力手段を介して、第１暗号化手段によって暗号化された後に第１符号化手段によって符号化された固有情報と、第２暗号化手段によって暗号化された後に第２符号化手段によって符号化された購入者の顔を撮影した画像とを印刷したラベルが作成される。
【００３０】
これにより、固有情報が第３者に容易に知られにくくなるとともに、認証をより確実に行うことができる。そのため、固有情報を使用した不正を未然に防ぐことができるとともに、第３者が購入者になりすまして不正に商品を貰い受けてしまうことを防ぐことができる。
【００３１】
また、請求項７に係る商品受け渡しシステムでは、符号化手段によって固有情報と購入者の顔を撮影した画像とが１つにまとめて符号化された後、出力手段を介して印刷されたラベルが作成される。
【００３２】
これにより、固有情報が第３者に容易に知られにくくなるとともに、認証をより確実に行うことができる。そのため、固有情報を使用した不正を未然に防ぐことができるとともに、第３者が購入者になりすまして不正に商品を貰い受けてしまうことを防ぐことができる。また、ラベルへ印刷されるコードが１つになり、コードの読み取り作業が早く確実にできる。ラベルの元となる印刷媒体の使用量も減る。
【００３３】
また、請求項８に係る商品受け渡しシステムでは、暗号化手段によって固有情報と購入者の顔を撮影した画像とが１つにまとめて暗号化された後、符号化手段によって符号化され、出力手段を介して印刷されたラベルが作成される。
【００３４】
これにより、固有情報が第３者に容易に知られにくくなるとともに、認証をより確実に行うことができる。そのため、固有情報を使用した不正を未然に防ぐことができるとともに、第３者が購入者になりすまして不正に商品を貰い受けてしまうことを防ぐことができる。また、ラベルへ印刷されるコードが１つになり、コードの読み取り作業が早く確実にできる。ラベルの元となる印刷媒体の使用量も減る。
【００３５】
また、請求項９に係る商品受け渡しシステムでは、電子マネーチップは、購入者の携帯端末に内蔵されている。携帯端末は購入者が常時携帯していることが多い。
【００３６】
これにより、電子マネーチップを所持するにあたり、購入者は煩わしいと感じない。
【発明を実施するための最良の形態】
【００３７】
以下、本発明に係る商品受け渡しシステムについて、具体化した第１乃至第４実施形態に基づいて図面を参照しつつ詳細に説明する。
【００３８】
先ず、本第１実施形態に係る商品受け渡しシステムについて図１乃至図８に基づき説明する。図１は、本第１実施形態の１使用例を示す商品受け渡しシステムの模式図である。図１の上段では、ショッピングモールに複数入居している店舗の１つを示しており、図１の下段では、各店舗で購入した商品１を一括して受け取ることができる一括受け取り所を示している。図１の上段に示すように、本システムには近年普及し始めた電子マネーの一種であるＥｄｙ（登録商標、以下省略）のＥｄｙチップ２（後述）を内蔵した携帯電話３が含まれている。この携帯電話３は、商品１を購入する購入者の所持品である。同じく図１の上段には各店舗に端末４と、端末４に接続されＥｄｙチップ２に記憶されている内容を読み取るＥｄｙ読み取り機５と、端末４に接続されバーコードが印刷されたラベル６を作成するラベルプリンタ７とが設置されていることが示されている。また、図１には各店舗ではラベルプリンタ７で作成されたラベル６は商品３に貼付されることが示されている。
【００３９】
図１の下段では、一括受け取り所には、端末８が設置されており、端末８には、商品１の購入者の所持品である前述の携帯電話３に内蔵されたＥｄｙチップ２を読み取るＥｄｙ読み取り機９が接続されている。また、一括受け取り所には、前述の店舗でラベル６を貼付された商品１が配送される。端末８には、その商品１に貼付されたラベル１からバーコードを読み取るバーコードリーダ１０が接続されている。
【００４０】
尚、Ｅｄｙチップ２は、携帯電話３に内蔵されているが、必ずしも携帯電話３に内蔵されている必要はなく、専用のカード、各種のキャッシュカード、クレジットカード等に内蔵されていてもよい。即ち、購入者はＥｄｙチップ２を持ってさえいればよい。
【００４１】
ここで、電子マネーについて説明する。電子マネーとは貨幣価値をデジタルデータで表現したお金である。それはクレジットカードや現金を使わずに買い物をしたり、インターネットを利用した電子商取引の決済手段として使われたりする。電子マネーには、専用のＩＣチップに貨幣価値データを記録するＩＣカード型電子マネーと、貨幣価値データの管理を行うソフトウェアをパソコン等に組み込んでネットワークを通じて決済を行うネットワーク型の電子マネーの２種類がある。前者には、Ｍｏｎｄｅｘ  Ｉｎｔｅｒｎａｔｉｏｎａｌ社のＭｏｎｄｅｘ（登録商標）やＶＩＳＡ  Ｉｎｔｅｒｎａｔｉｏｎａｌ社のＶＩＳＡ  Ｃａｓｈ（登録商標）等がある。Ｅｄｙは両者に対応している電子マネーであるが、本発明では特に前者のＩＣカード型電子マネーとしての性質を利用している。
【００４２】
図２乃至図４は、第１実施形態乃至第４実施形態に共通の各種のブロック図である。図２は、携帯電話３のブロック図である。携帯電話３には、０から９の数字、アルファベット、仮名文字等の各種文字、及び、通話の開始、終了等の各種の指示を入力するための複数のキーを備えたキー入力部２０、ディスプレイを備え各種の文字や画像を表示する表示部２１、電話としての機能を果たすため不図示のマイクを備え音声を音声信号に変換して入力する音声入力部２２、不図示のスピーカを備え音声信号を音声に変換して出力する音声出力部２３、不図示のアンテナを備え音声信号の通信をデジタル信号で行う電話回線Ｉ／Ｆ部２４が備わっている。
【００４３】
携帯電話３では電話回線Ｉ／Ｆ２４を介して不図示のインターネットにも接続可能であり、各種のデータをデジタル信号で送受信したり、電子メールを送受信したりすることができる。特に画像を添付した電子メールの送受信も可能である。また、携帯電話３には、不図示のＣＣＤカメラを備え静止画及び動画を撮影する撮像部２５、不図示の赤外線ポートを備え赤外線通信の規約の１つであるＩｒＤＡに則って赤外線信号の送受信を行うＩｒＤＡ  Ｉ／Ｆ部２６が備わっている。この赤外線通信では、赤外線ポートを備えＩｒＤＡに対応した他の機器との間で画像等の各種のデータを送受信することができる。
【００４４】
また、携帯電話３には、それら各部を制御し内部に不図示のＲＯＭ及びＲＡＭを備えた制御部２７が備わっている。ＲＯＭは制御部２７が携帯電話３の各部を制御するための各種の処理プログラムやテーブル等を書き換え不能に記憶している。ＲＡＭは制御部２７が携帯電話３の各部を制御するための各種情報を一時記憶している。携帯電話３は、記憶部２８も備えており、記憶部２８はＲＯＭに記憶されている処理プログラム以外の各種の処理プログラムやその他のデータを書き換え可能に記憶している。撮像部２５で撮影した静止画や動画もこの記憶部２８に記憶される。
【００４５】
また、携帯電話３は、貨幣価値データとＥｄｙ番号（以後、電子マネーチップ番号と称することもある）を記憶したＥｄｙチップ２を備えている。Ｅｄｙ番号は個々のＥｄｙチップを区別することが可能な番号である。Ｅｄｙ読み取り装置５、９ではこのＥｄｙ番号が読み取られる。
【００４６】
図３は、店舗側の端末４のブロック図である。端末４には、０から９の数字、アルファベット、仮名文字等の各種文字、各種の指示を入力するための複数のキーを備えたキーボード及び不図示のマウスを備えた操作入力部３０、ディスプレイを備え各種の文字や画像を表示する表示部３１が備わっている。
【００４７】
また、端末４には、不図示のＣＣＤカメラを備え静止画及び動画を撮影する撮像装置３２と接続して撮像装置３２の撮影した静止画及び動画を取り込むことのできる撮像装置Ｉ／Ｆ部３３、不図示の赤外線ポートを備え赤外線通信の規約の１つであるＩｒＤＡに則って赤外線信号の送受信を行うＩｒＤＡ  Ｉ／Ｆ部３４、Ｅｄｙ読み取り装置５と接続し、そこからＥｄｙ番号を取り込むことのできるＥｄｙ読み取り装置Ｉ／Ｆ部３５、ラベル６に印刷する印刷イメージをビットマップイメージで取り込み印刷してラベル６を作成するラベルプリンタ７に接続し、そのラベルプリンタ７に対し印刷イメージを送ってラベル作成を指示するプリンタＩ／Ｆ部３６が備わっている。
【００４８】
尚、ラベルプリンタ７は、印刷媒体として片面に粘着層を有するテープが巻回されたロール紙を収納しており、作成されたラベル６は商品１に貼付することが可能である。また、端末４には、不図示のインターネットに常時接続し、各種のデータをデジタル信号で送受信したり、電子メールを送受信したりすることができるＡＤＳＬ  Ｉ／Ｆ部３７、それらを制御し内部に不図示のＲＯＭ及びＲＡＭを備えた制御部３８が備わっている。
【００４９】
ＲＯＭは制御部３８が端末４の各部を制御するための各種の処理プログラムやテーブル等を書き換え不能に記憶している。ＲＡＭは制御部３８が端末４の各部を制御するための各種情報を一時記憶している。端末４は、記憶部３９も備えており、記憶部３９は後述する暗号化処理プログラムや各種の１次元コード（狭い意味でのバーコード。尚、広い意味ではバーコードは１次元コードの他に２次元コードも含む。本明細書では、バーコードという時は広い意味でのバーコードを指している）や２次元コードのビットマップイメージを作成する符号化処理プログラム等、ＲＯＭに記憶されている処理プログラム以外の各種の処理プログラムやその他のデータを書き換え可能に記憶している。
【００５０】
図４は、一括受け取り所側の端末８のブロック図である。端末８には、０から９の数字、アルファベット、仮名文字等の各種文字、各種の指示を入力するための複数のキーを備えたキーボード及び不図示のマウスを備えた操作入力部４０、ディスプレイを備え各種の文字や画像を表示する表示部４１が備わっている。
【００５１】
また、端末８には、Ｅｄｙ読み取り装置９と接続し、そこからＥｄｙ番号を取り込むことのできるＥｄｙ読み取り装置Ｉ／Ｆ部４２、各種の１次元コード及び各種の２次元コードを光学的に読み取り、読み取ったコードから中味のデータを読み出すバーコードリーダ１０と接続し、バーコードリーダ１０がコードから読み出したデータを取り込むことのできるバーコードリーダＩ／Ｆ部４３、不図示のインターネットに常時接続し、各種のデータをデジタル信号で送受信したり、電子メールを送受信したりすることができるＡＤＳＬ  Ｉ／Ｆ部４４、それらを制御し内部に不図示のＲＯＭ及びＲＡＭを備えた制御部４５が備わっている。
【００５２】
ＲＯＭは制御部４５が端末８の各部を制御するための各種の処理プログラムやテーブル等を書き換え不能に記憶している。ＲＡＭは制御部４５が端末８の各部を制御するための各種情報を一時記憶している。端末８は、記憶部４６も備えており、記憶部４６は後述する暗号を解読する復号化処理プログラム等、ＲＯＭに記憶されている処理プログラム以外の各種の処理プログラムやその他のデータを書き換え可能に記憶している。
【００５３】
尚、第１実施形態及び第２実施形態は、詳細は後述するが一括受け取り所で商品１の受取人の認証を行うにあたり、画像を用いずに認証を行うことから、図２に示す携帯電話３においては、前述の撮像部２５、ＩｒＤＡ  Ｉ／Ｆ部２６、電話回線Ｉ／Ｆ部２４を介したインターネット接続機能の特に画像を添付したメールの送信機能は必ずしも必要でない。同様に、図３に示す端末４においては、前述の撮像装置Ｉ／Ｆ部３４、撮像装置３２、ＩｒＤＡ  Ｉ／Ｆ部３４は必ずしも必要でない。
【００５４】
次に、図５及び図６を参照して本第１実施形態に掛かる商品受け渡しシステムの処理について説明する。図５は、店舗側の端末４の制御部３８によって実行される処理を示すフローチャートであり、図６は、一括受け取り所の端末８の制御部４５によって実行される処理を示すフローチャートである。購入者がＥｄｙチップ２内蔵の携帯電話３を所持している場合、購入者は商品１を購入し決済する際に自らの所持する携帯電話３をＥｄｙ読み取り装置５にかざし、Ｅｄｙ読み取り装置５にＥｄｙ番号読み取らせる。購入者がカードその他に内蔵のＥｄｙチップ２を所持しているのであれば、購入者はそのカードをＥｄｙ読み取り装置５にかざすことになる。図５に示すように、Ｓ１ではＥｄｙ読み取り装置５が読み取ったＥｄｙ番号を制御部３８は読み出し、Ｓ２に移行する。
【００５５】
Ｓ２では、Ｓ１で読み出されたＥｄｙ番号から２次元コードの１種であるＱＲコードが生成され、Ｓ３に移行する。尚、ＱＲコードは公知な技術であるので、ここでは詳細な説明は省略する。Ｓ３では、制御部３８はＳ２で生成したＱＲコードのビットマップイメージをプリンタＩ／Ｆ部３６を介してラベルプリンタ７に送り、ラベルプリンタ７に対してラベル６の作成を指示する。それを受けてラベルプリンタ７はＥｄｙ番号を示すラベル６を作成する。作成されたラベル６は図１に示すように、購入された商品１の表面に店舗側の人により貼付される。その後、店舗側の人により、ラベル６の貼付された商品１は一括受け取り所に配送される。
【００５６】
その後、購入者が商品１を受け取りに一括受け取り所に現れると、先ず、購入者はＥｄｙ読み取り装置９に自分自身の所持するＥｄｙチップ２を内蔵する携帯電話３またはカード等をかざして、Ｅｄｙ読み取り装置９にＥｄｙ番号を読み取らせる。その時、図６に示すように、一括受け取り所の端末８の制御部４５は、Ｓ１１でＥｄｙ読み取り装置９が読み取ったＥｄｙ番号をＥｄｙ読み取り装置Ｉ／Ｆ部４２を介して読み出す。その後、Ｓ１２に移行する。購入者の所持するＥｄｙチップ２からＥｄｙ番号を読み取る一方で、Ｓ１２では一括受け取り所の人によりバーコードリーダ１０が商品１に貼付されたラベル６に印刷されたＱＲコードにあてがわれ、バーコードリーダ１０はＱＲコードを読み取る。読み取られたＱＲコードはバーコードリーダの内部でＱＲコードが示すデータに戻される。Ｓ１２では、制御部４５は、バーコードリーダ１０からＱＲコードの示す元のデータをバーコードリーダＩ／Ｆ部４３を介して読み出す。本実施形態では、そのデータはＥｄｙ番号そのものを表している。その後、Ｓ１３に移行する。
【００５７】
Ｓ１３では、制御部４５はＳ１１で取得したＥｄｙ番号とＳ１２で取得したＥｄｙ番号とを比較することにより認証する。その後、Ｓ１４に移行する。Ｓ１４では、制御部４５は、Ｓ１３でＥｄｙ番号が互いに一致していて認証できた場合は、図７に示す「ＯＫ」という文字からなる画面を表示部４１のディスプレイに表示する。また、制御部４５は、Ｓ１３でＥｄｙ番号が互いに一致せず認証できなかった場合は、図８に示す「ＮＧ」という文字からなる画面を表示部４１のディスプレイに表示する。これらの画面は、画面下部中央の確認ボタンをマウス（不図示）でクリックすることで閉じる。
【００５８】
尚、本実施形態ではＥｄｙ番号をＱＲコードに変換したが、他の２次元コードや１次元コードに変換してもよい。
【００５９】
また、本実施形態では電子マネーとしてＥｄｙを用いたが、ＩＣカード型電子マネーであればＥｄｙでなくともよい。
【００６０】
本実施形態では、購入者は本商品受け渡しシステムを利用するにあたってはＥｄｙチップ２のＥｄｙ番号を読み出させるだけである。Ｅｄｙチップ２自体は、決済に使用するので購入者は携帯している。また、受け渡し時の認証にはラベル６に印刷してある情報がありさえすればよい。以上の理由から、ユーザ登録を必要とせずに購入者が利用でき、よってシステムの普及も見込め、購入者が煩わしいと感じない携帯している物を使用して認証する商品受け渡しシステムであって管理サーバを用いないシステムを提供することが可能である。
【００６１】
また、本実施形態ではＥｄｙ番号をバーコードに変換したが、これにより、Ｅｄｙ番号が第３者に容易に知られにくくなる。そのため、Ｅｄｙ番号を使用した不正を未然に防ぐことができる。尚、１次元コードにはその下部に内部のデータを英数字からなる文字列で記すことがあるが、この効果を言うためには、この文字列は印刷しないことが望ましい。
【００６２】
また、本実施形態ではＥｄｙ番号を符号化したバーコードをバーコードリーダ１０で読み出しているが、Ｅｄｙ番号をバーコードにせずにそのままラベルに印刷し、印刷されたＥｄｙ番号をＣＣＤカメラで読み取り、文字認識によりＥｄｙ番号を取得するように構成してもよい。この場合でも、ユーザ登録を必要とせずに購入者が利用でき、よってシステムの普及も見込め、購入者が煩わしいと感じない携帯している物を使用して認証する商品受け渡しシステムであって管理サーバを用いないシステムを提供するという効果はそのまま得られる。
【００６３】
次に、本第２実施形態に係る商品受け渡しシステムについて説明する。第２実施形態は第１実施形態と殆ど同じであって、店舗側のＥｄｙ読み取り装置５で読み取ったＥｄｙ番号を暗号化した後、ラベルを作成する点が異なる。そのことを図番で表せば、第１実施形態は図１乃至図８に基づいて説明されていたが、第２実施形態はその図５を図９に置き換え、図６を図１０に置き換えられることになる。以下、第１実施形態と異なる図９及び図１０を中心に適宜図１乃至図４、図７、図８を参照しながら第２実施形態の説明をする。尚、第１実施形態と同じ構成には第１実施形態と同じ符号を付して説明する。
【００６４】
図９は、店舗側の端末４の制御部３８によって実行される処理を示すフローチャートであり、図１０は、一括受け取り所の端末８の制御部４５によって実行される処理を示すフローチャートである。
【００６５】
実施形態１と同様、図１に示すように、購入者がＥｄｙチップ２内蔵の携帯電話３を所持している場合、購入者は商品１を購入し決済する際に自らの所持する携帯電話３をＥｄｙ読み取り装置５にかざし、Ｅｄｙ読み取り装置５にＥｄｙ番号読み取らせる。購入者がカードその他に内蔵のＥｄｙチップ２を所持しているのであれば、購入者はそのカードをＥｄｙ読み取り装置５にかざすことになる。図９に示すように、Ｓ２１ではＥｄｙ読み取り装置５が読み取ったＥｄｙ番号を制御部３８は読み出し、Ｓ２２に移行する。
【００６６】
Ｓ２２では、Ｓ２１で読み出されたＥｄｙ番号を暗号化する。暗号化の手法は何でも構わない。ここでは、Ｅｄｙ番号で使われる可能性のある全部の文字毎に、対応する変換後の文字を予め決めておきそれに従って変換することで暗号化とし、暗号を解読する時は変換後の文字からそれを逆に辿ることで元の文字に復元するようにしている（逆変換）。この時、ある文字に対応する変換後の文字を決めるに当たっては、２つ以上の文字が１つの文字に対応付けられないように決める必要がある。それは、そうなっていない場合、変換後の文字から元の文字を復元する時、どの文字に復元すればよいか分からなくなるからである。尚、暗号化のための文字変換一覧テーブルと、解読のための文字逆変換一覧テーブルとは、事前にそれぞれ店舗側の端末４の記憶部３９と一括受け取り所側の端末８の記憶部４６に記憶されている。Ｓ２２では、Ｅｄｙ番号を構成する各桁の文字を文字変換一覧テーブルに従って変換することでＥｄｙ番号の暗号化が行われる。その後、Ｓ２３に移行する。
【００６７】
Ｓ２３では、Ｓ２２で暗号化したＥｄｙ番号から２次元コードの１種であるＱＲコードが生成され、Ｓ２４に移行する。Ｓ２４では、制御部３８はＳ２３で生成したＱＲコードのビットマップイメージをプリンタＩ／Ｆ部３６を介してラベルプリンタ７に送り、ラベルプリンタ７に対してラベル６の作成を指示する。それを受けてラベルプリンタ７はＥｄｙ番号を示すラベル６を作成する。作成されたラベル６は図１に示すように、購入された商品１の表面に店舗側の人により貼付される。その後、店舗側の人により、ラベル６の貼付された商品１は一括受け取り所に配送される。その後、購入者が商品１を受け取りに一括受け取り所に現れると、先ず、購入者はＥｄｙ読み取り装置９に自分自身の所持するＥｄｙチップ２を内蔵する携帯電話３またはカード等をかざして、Ｅｄｙ読み取り装置９にＥｄｙ番号を読み取らせる。その時、図１０に示すように、一括受け取り所の端末８の制御部４５は、Ｓ３１でＥｄｙ読み取り装置９が読み取ったＥｄｙ番号をＥｄｙ読み取り装置Ｉ／Ｆ部４２を介して読み出す。その後、Ｓ３２に移行する。
【００６８】
購入者の所持するＥｄｙチップ２からＥｄｙ番号を読み取る一方で、Ｓ３２では一括受け取り所の人によりバーコードリーダ１０が商品１に貼付されたラベル６に印刷されたＱＲコードにあてがわれ、バーコードリーダ１０はＱＲコードを読み取る。読み取られたＱＲコードはバーコードリーダの内部でＱＲコードが示すデータに戻される。Ｓ３２では、制御部４５は、バーコードリーダ１０からＱＲコードの示す元のデータをバーコードリーダＩ／Ｆ部４３を介して読み出す。本実施形態では、そのデータは暗号化されたＥｄｙ番号を表している。その後、Ｓ３３に移行する。Ｓ３３では、制御部４５は、前述の文字逆変換一覧テーブルに従い、暗号化されたＥｄｙ番号を解読して元のＥｄｙ番号に復元する。その後Ｓ３４に移行する。
【００６９】
Ｓ３４では、制御部４５はＳ３１で取得したＥｄｙ番号とＳ３３で取得したＥｄｙ番号とを比較することにより認証する。その後、Ｓ３５に移行する。Ｓ３５では、制御部４５は、Ｓ３４でＥｄｙ番号が互いに一致していて認証できた場合は、図７に示す「ＯＫ」という文字からなる画面を表示部４１のディスプレイに表示する。また、制御部４５は、Ｓ３４でＥｄｙ番号が互いに一致せず認証できなかった場合は、図８に示す「ＮＧ」という文字からなる画面を表示部４１のディスプレイに表示する。これらの画面は、画面下部中央の確認ボタンをマウス（不図示）でクリックすることで閉じる。
【００７０】
尚、本実施形態ではＥｄｙ番号をＱＲコードに変換したが、他の２次元コードや１次元コードに変換してもよい。
【００７１】
本実施形態では、購入者は本商品受け渡しシステムを利用するにあたってはＥｄｙチップ２のＥｄｙ番号を読み出させるだけである。Ｅｄｙチップ２自体は、決済に使用するので購入者は携帯している。また、受け渡し時の認証にはラベル６に印刷してある情報がありさえすればよい。以上の理由から、ユーザ登録を必要とせずに購入者が利用でき、よってシステムの普及も見込め、購入者が煩わしいと感じない携帯している物を使用して認証する商品受け渡しシステムであって管理サーバを用いないシステムを提供することが可能である。
【００７２】
また、本実施形態ではＥｄｙ番号を暗号化の後、バーコードに変換したが、これにより、Ｅｄｙ番号が第３者に容易に知られにくくなる。そのため、Ｅｄｙ番号を使用した不正を未然に防ぐことができる。
【００７３】
また、本実施形態では暗号化したＥｄｙ番号を符号化したバーコードをバーコードリーダ１０で読み出しているが、暗号化したＥｄｙ番号をバーコードにせずにそのままラベルに印刷し、印刷された暗号化したＥｄｙ番号をＣＣＤカメラで読み取り、文字認識により暗号化したＥｄｙ番号を取得するように構成してもよい。この場合でも、ユーザ登録を必要とせずに購入者が利用でき、よってシステムの普及も見込め、購入者が煩わしいと感じない携帯している物を使用して認証する商品受け渡しシステムであって管理サーバを用いないシステムを提供するという効果はそのまま得られる。
【００７４】
次に、本第３実施形態に係る商品受け渡しシステムについて説明する。第３実施形態は第１実施形態と殆ど同じであって、受取人の認証にＥｄｙ番号の他に本人画像を用いる点が異なる。そのことを図番で表せば、第１実施形態は図１乃至図８に基づいて説明されていたが、第３実施形態は図１を図１１に置き換え、図５を図１２に置き換え、図６を図１３に置き換えられることになる。
【００７５】
尚、第１実施形態及び第２実施形態の説明では、本人画像を用いずに認証を行うことから、図２に示す携帯電話３においては、前述の撮像部２５、ＩｒＤＡ  Ｉ／Ｆ部２６、電話回線Ｉ／Ｆ部２４を介したインターネット接続機能の特に画像を添付したメールの送信機能は必ずしも必要でなく、図３に示す端末４においては、前述の撮像装置Ｉ／Ｆ部３４、撮像装置３２、ＩｒＤＡ  Ｉ／Ｆ部３４は必ずしも必要でなかった。しかし、本第３実施形態及び後述する第４実施形態ではそれらは使用される。
【００７６】
以下、第１実施形態と異なる図１１、図１２及び図１３を中心に適宜図２乃至図４、図７、図８を参照しながら第３実施形態の説明をする。尚、第１実施形態と同じ構成には第１実施形態と同じ符号を付して説明する。
【００７７】
図１１は、本第３実施形態の１使用例を示す商品受け渡しシステムの模式図である。図１に示す第１実施形態の１使用例を示す商品受け渡しシステムの模式図との違いは、購入者の所持する携帯電話３から店舗側の端末４に対し本人画像を送信している点と、ラベル６にＥｄｙ番号に対応するデータを印刷する他に本人画像のイメージデータに対応するデータも印刷する点、一括受け取り所においてラベル６に印刷された本人画像のイメージデータに対応するデータを元に端末８の表示部４１に本人画像を表示する点の３点である。
【００７８】
図１２は、店舗側の端末４の制御部３８によって実行される処理を示すフローチャートであり、図１３は、一括受け取り所の端末８の制御部４５によって実行される処理を示すフローチャートである。
【００７９】
図１１に示すように、購入者がＥｄｙチップ２内蔵の携帯電話３を所持している場合、購入者は商品１を購入し決済する際に自らの所持する携帯電話３をＥｄｙ読み取り装置５にかざし、Ｅｄｙ読み取り装置５にＥｄｙ番号読み取らせる。購入者がカードその他に内蔵のＥｄｙチップ２を所持しているのであれば、購入者はそのカードをＥｄｙ読み取り装置５にかざすことになる。図１２に示すように、Ｓ４１ではＥｄｙ読み取り装置５が読み取ったＥｄｙ番号を制御部３８は読み出し、Ｓ４２に移行する。
【００８０】
その一方で、図１１に示すように、購入者がＥｄｙチップ２内蔵の携帯電話３を所持している場合、購入者が予め撮像部２５で撮影し記憶部２８に保存しておいた自分自身の画像をＩｒＤＡ  Ｉ／Ｆ部２６から赤外線信号で送信し、店舗側の端末４がＩｒＤＡ  Ｉ／Ｆ部３４で受信する。または、購入者が携帯電話を持っていたとしてもそれがＩｒＤＡ  Ｉ／Ｆ２６を備えていない場合は、電話回線Ｉ／Ｆ部２４を介してインターネットに接続し、購入者本人の画像を添付した電子メールを店舗側の端末４へ送信し、店舗側の端末４ではＡＤＳＬ  Ｉ／Ｆ部３７を介して常時接続しているインターネットにより電子メールを受信する。
【００８１】
または、購入者が携帯電話３を所持しておらず何らかのＥｄｙチップ２内蔵のカードを所持している場合、及び、購入者が携帯電話３を持っていても自分自身の画像を店舗側の端末４に送ることが煩わしいと感じる場合等には、店舗側の端末４に備わっている撮像装置３２で購入者を撮影する。何れの場合も、何らかの手段により端末４は購入者の本人画像を取得する。
【００８２】
Ｓ４２では、制御部３８が、端末４の表示部３１に各手段の内のどの手段を用いて本人画像を入力するかを操作者に選択させ、それぞれの結果に応じて適宜指示を出す。それに合わせて端末４内の各部を制御して購入者の本人画像を取得する。その後、Ｓ４３に移行する。Ｓ４３では、制御部３８はＳ４１で取得したＥｄｙ番号とＳ４２で取得した本人画像を１つのデータにまとめた上で２次元コードの１種であるＱＲコードを生成する。その後、Ｓ４４に移行する。
【００８３】
Ｓ４４では、制御部３８はＳ４３で生成したＱＲコードのビットマップイメージをプリンタＩ／Ｆ部３６を介してラベルプリンタ７に送り、ラベルプリンタ７に対してラベル６の作成を指示する。それを受けてラベルプリンタ７はＥｄｙ番号と本人画像を示すラベル６を作成する。作成されたラベル６は図１１に示すように、購入された商品１の表面に店舗側の人により貼付される。その後、店舗側の人により、ラベル６の貼付された商品１は一括受け取り所に配送される。
【００８４】
その後、購入者が商品１を受け取りに一括受け取り所に現れると、先ず、購入者はＥｄｙ読み取り装置９に自分自身の所持するＥｄｙチップ２を内蔵する携帯電話３またはカード等をかざして、Ｅｄｙ読み取り装置９にＥｄｙ番号を読み取らせる。その時、図１３に示すように、一括受け取り所の端末８の制御部４５は、Ｓ５１でＥｄｙ読み取り装置９が読み取ったＥｄｙ番号をＥｄｙ読み取り装置Ｉ／Ｆ部４２を介して読み出す。その後、Ｓ５２に移行する。
【００８５】
購入者の所持するＥｄｙチップ２からＥｄｙ番号を読み取る一方で、Ｓ５２では一括受け取り所の人によりバーコードリーダ１０が商品１に貼付されたラベル６に印刷されたＱＲコードにあてがわれ、バーコードリーダ１０はＱＲコードを読み取る。読み取られたＱＲコードはバーコードリーダ１０の内部でＱＲコードが示すデータに戻される。Ｓ５２では、制御部４５は、バーコードリーダ１０からＱＲコードの示す元のデータをバーコードリーダＩ／Ｆ部４３を介して読み出す。本実施形態では、そのデータはＥｄｙ番号と購入者の本人画像を１つにまとめたデータを表している。制御部４５は、その１つにまとめられたデータをＥｄｙ番号と本人画像とに分ける。その後、Ｓ５３に移行する。Ｓ５３では、制御部４５はＳ５１で取得したＥｄｙ番号とＳ５２で取得したＥｄｙ番号とを比較することにより認証する。その後、Ｓ５４に移行する。
【００８６】
Ｓ５４では、制御部４５は、Ｓ５３でＥｄｙ番号が互いに一致していて認証できた場合は、図７に示す「ＯＫ」という文字からなる画面を表示部４１のディスプレイに表示する。画面下部中央の確認ボタンをマウス（不図示）でクリックすることで、この画面は閉じ、替わって本人画像が表示される。一括受け取り所の人は、その表示された画像と受け取りに来た本人とを見比べることで最終的な認証を行う。本人画像が表示された画面は、端末８から何れかのキーが押されることで閉じる。一方、制御部４５は、Ｓ３４でＥｄｙ番号が互いに一致せず認証できなかった場合は、図８に示す「ＮＧ」という文字からなる画面を表示部４１のディスプレイに表示する。画面下部中央の確認ボタンをマウス（不図示）でクリックすることで、この画面は閉じる。
【００８７】
尚、Ｓ５４で制御部４５は、Ｓ５３でＥｄｙ番号が互いに一致していて認証できた場合は、図７に示す「ＯＫ」という文字からなる画面を表示し確認ボタンのクリックでこの画面は閉じ、替わって本人画像が表示されるとしたが、Ｓ５３でＥｄｙ番号が互いに一致していて認証できた場合、「ＯＫ」の画面を表示せずに直接本人画像を表示するようにしてもよい。
【００８８】
本実施形態ではＥｄｙ番号と本人画像とをＱＲコードに変換したが、他の２次元コードや１次元コードに変換してもよい。
【００８９】
本実施形態では、購入者は本商品受け渡しシステムを利用するにあたってはＥｄｙチップ２のＥｄｙ番号を読み出させる他は、購入者が所持する携帯電話が撮像部２５（ＣＣＤカメラ）付きであれば、撮影した購入者本人の画像を店舗側の端末４に送るだけである。また、購入者の所持する携帯電話に撮像部２５がない場合、購入者が携帯電話を所持しておらずＥｄｙチップ２内蔵のカード等を所持している場合等は、撮影した購入者本人の画像を店舗側の端末４に送る替わりに、店舗側の端末４に備わっている撮像装置３２で購入者の画像を撮影するだけである。本実施形態はこのように色々な利用形態に対応している。
【００９０】
Ｅｄｙチップ２自体は、決済に使用するので購入者は携帯している。また、受け渡し時の認証にはラベル６に印刷してある情報がありさえすればよい。以上の理由から、ユーザ登録を必要とせずに購入者が利用でき、よってシステムの普及も見込め、購入者が煩わしいと感じない携帯している物を使用して認証する商品受け渡しシステムであって管理サーバを用いないシステムを提供することが可能である。
【００９１】
また、本実施形態ではＥｄｙ番号をバーコードに変換したが、これにより、Ｅｄｙ番号が第３者に容易に知られにくくなる。そのため、Ｅｄｙ番号を使用した不正を未然に防ぐことができる。
【００９２】
また、本実施形態ではＥｄｙ番号と本人画像を１つにまとめたデータを１つのバーコードにしているが、Ｅｄｙ番号と本人画像を別々のバーコードにしてラベル６に印刷してもよい。但し、１つのバーコードになっていた方が、一括受け取り所の人がバーコードリーダ１０を使ってバーコードを読み出すに当たり、１回の読み出し動作でよいため作業性が優れている。
【００９３】
また、本実施形態ではＥｄｙ番号と本人画像を両方バーコードにしているが、どちらか片方のみをバーコードにし、もう片方は元のままラベルに印刷してもよい。例えばＥｄｙ番号をバーコード化せずに元のままラベルに印刷した場合には、印刷されたＥｄｙ番号をＣＣＤカメラで読み取り、文字認識によりＥｄｙ番号を取得するように構成してもよい。
【００９４】
次に、本第４実施形態に係る商品受け渡しシステムについて説明する。第４実施形態は第１実施形態と殆ど同じであって、受取人の認証にＥｄｙ番号の他に本人画像を用いる点とＥｄｙ番号及び本人画像を暗号化する点が異なる。そのことを図番で表せば、第１実施形態は図１乃至図８に基づいて説明されていたが、第４実施形態は図１を図１１に置き換え、図５を図１４に置き換え、図６を図１５に置き換えられることになる。
【００９５】
尚、第１実施形態及び第２実施形態の説明では、本人画像を用いずに認証を行うことから、図２に示す携帯電話３においては、前述の撮像部２５、ＩｒＤＡ  Ｉ／Ｆ部２６、電話回線Ｉ／Ｆ部２４を介したインターネット接続機能の特に画像を添付したメールの送信機能は必ずしも必要でなく、図３に示す端末４においては、前述の撮像装置Ｉ／Ｆ部３４、撮像装置３２、ＩｒＤＡ  Ｉ／Ｆ部３４は必ずしも必要でなかった。しかし、本第４実施形態では前述の第３実施形態と同様にそれらは使用される。
【００９６】
以下、第１実施形態と異なる図１４及び図１５を中心に適宜図１１を参照しながら第４実施形態の説明をする。尚、第１実施形態と同じ構成には第１実施形態と同じ符号を付して説明する。
【００９７】
図１４は、店舗側の端末４の制御部３８によって実行される処理を示すフローチャートであり、図１５は、一括受け取り所の端末８の制御部４５によって実行される処理を示すフローチャートである。
【００９８】
図１１に示すように、購入者がＥｄｙチップ２内蔵の携帯電話３を所持している場合、購入者は商品１を購入し決済する際に自らの所持する携帯電話３をＥｄｙ読み取り装置５にかざし、Ｅｄｙ読み取り装置５にＥｄｙ番号読み取らせる。購入者がカードその他に内蔵のＥｄｙチップ２を所持しているのであれば、購入者はそのカードをＥｄｙ読み取り装置５にかざすことになる。図１４に示すように、Ｓ６１ではＥｄｙ読み取り装置５が読み取ったＥｄｙ番号を制御部３８は読み出し、Ｓ６２に移行する。その一方で、図１１に示すように、購入者がＥｄｙチップ２内蔵の携帯電話３を所持している場合、購入者が予め撮像部２５で撮影し記憶部２８に保存しておいた自分自身の画像をＩｒＤＡ  Ｉ／Ｆ部２６から赤外線信号で送信し、店舗側の端末４がＩｒＤＡ  Ｉ／Ｆ部３４で受信する。
【００９９】
または、購入者が携帯電話を持っていたとしてもそれがＩｒＤＡ  Ｉ／Ｆ２６を備えていない場合は、電話回線Ｉ／Ｆ部２４を介してインターネットに接続し、購入者本人の画像を添付した電子メールを店舗側の端末４へ送信し、店舗側の端末４ではＡＤＳＬ  Ｉ／Ｆ部３７を介して常時接続しているインターネットにより電子メールを受信する。または、購入者が携帯電話３を所持しておらず何らかのＥｄｙチップ２内蔵のカードを所持している場合、及び、購入者が携帯電話３を持っていても自分自身の画像を店舗側の端末４に送ることが煩わしいと感じる場合等には、店舗側の端末４に備わっている撮像装置３２で購入者を撮影する。何れの場合も、何らかの手段により端末４は購入者の本人画像を取得する。
【０１００】
Ｓ６２では、制御部３８が、端末４の表示部３１に各手段の内のどの手段を用いて本人画像を入力するかを操作者に選択させ、それぞれの結果に応じて適宜指示を出す。それに合わせて端末４内の各部を制御して購入者の本人画像を取得する。その後、Ｓ６３に移行する。Ｓ６３では、制御部３８はＳ６１で取得したＥｄｙ番号とＳ６２で取得した本人画像を１つのデータにまとめた上で暗号化を行う。暗号化の手法は何でも構わない。本発明では、制御部３８は秘密鍵暗号方式の１種であるＤＥＳを使用して暗号化を行う。そのため、各店舗の端末４と一括受け取り所の端末８には、予め、暗号化のための鍵が記憶部３９、４６に記憶されている。尚、ＤＥＳは公知な技術であるのでここでは詳細な説明は省略する。その後、Ｓ６４に移行する。
【０１０１】
Ｓ６４では、制御部３８は暗号化されたデータから２次元コードの１種であるＱＲコードを生成する。その後、Ｓ６５に移行する。Ｓ６５では、制御部３８はＳ６４で生成したＱＲコードのビットマップイメージをプリンタＩ／Ｆ部３６を介してラベルプリンタ７に送り、ラベルプリンタ７に対してラベル６の作成を指示する。それを受けてラベルプリンタ７はＥｄｙ番号と本人画像を示すラベル６を作成する。作成されたラベル６は図１１に示すように、購入された商品１の表面に店舗側の人により貼付される。その後、店舗側の人により、ラベル６の貼付された商品１は一括受け取り所に配送される。
【０１０２】
その後、購入者が商品１を受け取りに一括受け取り所に現れると、先ず、購入者はＥｄｙ読み取り装置９に自分自身の所持するＥｄｙチップ２を内蔵する携帯電話３またはカード等をかざして、Ｅｄｙ読み取り装置９にＥｄｙ番号を読み取らせる。その後、図１５に示すように、一括受け取り所の端末８の制御部４５は、Ｓ７１でＥｄｙ読み取り装置９が読み取ったＥｄｙ番号をＥｄｙ読み取り装置Ｉ／Ｆ部４２を介して読み出す。その後、Ｓ７２に移行する。
【０１０３】
購入者の所持するＥｄｙチップ２からＥｄｙ番号を読み取る一方で、Ｓ７２では一括受け取り所の人によりバーコードリーダ１０が商品１に貼付されたラベル６に印刷されたＱＲコードにあてがわれ、バーコードリーダ１０はＱＲコードを読み取る。読み取られたＱＲコードはバーコードリーダの内部でＱＲコードが示すデータに戻される。Ｓ７２では、制御部４５は、バーコードリーダ１０からＱＲコードの示す元のデータをバーコードリーダＩ／Ｆ部４３を介して読み出す。本実施形態では、そのデータはＥｄｙ番号と購入者の本人画像を１つにまとめた上で暗号化されたデータを表している。その後、Ｓ７３に移行する。
【０１０４】
Ｓ７３では、制御部４５はＳ７２でバーコードリーダ１０から読み出したデータの暗号を解読する。即ち、制御部４５は、予め記憶されている鍵に基づき、ＤＥＳによる暗号を解読して１つのデータにまとめられているＥｄｙ番号と本人画像に復元する。制御部４５は、その１つにまとめられているデータをＥｄｙ番号と本人画像とに分ける。その後、Ｓ７４に移行する。Ｓ７４では、制御部４５はＳ７１で取得したＥｄｙ番号とＳ７３で取得したＥｄｙ番号とを比較することにより認証する。その後、Ｓ７５に移行する。
【０１０５】
Ｓ７５では、制御部４５は、Ｓ７４でＥｄｙ番号が互いに一致していて認証できた場合は、図７に示す「ＯＫ」という文字からなる画面を表示部４１のディスプレイに表示する。画面下部中央の確認ボタンをマウス（不図示）でクリックすることで、この画面は閉じ、替わって本人画像が表示される。一括受け取り所の人は、その表示された画像と受け取りに来た本人とを見比べることで最終的な認証を行う。本人画像が表示された画面は、端末８から何れかのキーが押されることで閉じる。一方、制御部４５は、Ｓ７４でＥｄｙ番号が互いに一致せず認証できなかった場合は、図８に示す「ＮＧ」という文字からなる画面を表示部４１のディスプレイに表示する。画面下部中央の確認ボタンをマウス（不図示）でクリックすることで、この画面は閉じる。
【０１０６】
尚、本実施形態ではＥｄｙ番号と本人画像とをＱＲコードに変換したが、他の２次元コードや１次元コードに変換してもよい。
【０１０７】
本実施形態では、購入者は本商品受け渡しシステムを利用するにあたってはＥｄｙチップ２のＥｄｙ番号を読み出させる他は、購入者が所持する携帯電話が撮像部２５（ＣＣＤカメラ）付きであれば、撮影した購入者本人の画像を店舗側の端末４に送るだけである。また、購入者の所持する携帯電話に撮像部２５がない場合、及び、購入者が携帯電話を所持しておらずＥｄｙチップ２内蔵のカード等を所持している場合等は、撮影した購入者本人の画像を店舗側の端末４に送る替わりに、店舗側の端末４に備わっている撮像装置３２で購入者の画像を撮影するだけである。本実施形態はこのように色々な利用形態に対応している。
【０１０８】
Ｅｄｙチップ２自体は、決済に使用するので購入者は携帯している。また、受け渡し時の認証にはラベル６に印刷してある情報がありさえすればよい。以上の理由から、ユーザ登録を必要とせずに購入者が利用でき、よってシステムの普及も見込め、購入者が煩わしいと感じない携帯している物を使用して認証する商品受け渡しシステムであって管理サーバを用いないシステムを提供することが可能である。
【０１０９】
また、本実施形態ではＥｄｙ番号と本人画像を暗号化の上バーコードに変換したが、これにより、Ｅｄｙ番号が第３者に容易に知られにくくなる。そのため、Ｅｄｙ番号を使用した不正を未然に防ぐことができる。
【０１１０】
また、本実施形態ではＥｄｙ番号と本人画像を１つにまとめたデータを暗号化の上１つのバーコードにしているが、Ｅｄｙ番号と本人画像を別々に暗号化した上で別々のバーコードにしてラベル６に印刷してもよい。但し、１つのバーコードになっていた方が、一括受け取り所の人がバーコードリーダを使ってバーコードを読み出すに当たり、１回の読み出し動作でよいため作業性が優れている。
【０１１１】
また、本実施形態ではＥｄｙ番号と本人画像を両方暗号化の上バーコードにしているが、どちらか片方のみを暗号化の上バーコードにし、もう片方は元のデータのままラベルに印刷してもよい。
【０１１２】
尚、本発明は本第１乃至第４実施形態に限定されることはなく、本発明の要旨を逸脱しない範囲内で種々の改良、変形が可能であることは勿論である。
【図面の簡単な説明】
【０１１３】
【図１】第１実施形態に係る商品受け渡しシステムの１使用例を示す商品受け渡しシステムの模式図である。
【図２】第１実施形態乃至第４実施形態に共通の携帯電話３のブロック図である。
【図３】端末４のブロック図である。
【図４】端末８のブロック図である。
【図５】第１実施形態に係る店舗側の端末４の制御部３８によって実行される処理を示すフローチャートである。
【図６】一括受け取り所の端末８の制御部４５によって実行される処理を示すフローチャートである。
【図７】認証結果を示す画面の画面イメージである。
【図８】認証結果を示す画面の画面イメージである。
【図９】第２実施形態に係る店舗側の端末４の制御部３８によって実行される処理を示すフローチャートである。
【図１０】一括受け取り所の端末８の制御部４５によって実行される処理を示すフローチャートである。
【図１１】第３実施形態に係る商品受け渡しシステムの１使用例を示す商品受け渡しシステムの模式図である。
【図１２】店舗側の端末４の制御部３８によって実行される処理を示すフローチャートである。
【図１３】一括受け取り所の端末８の制御部４５によって実行される処理を示すフローチャートである。
【図１４】第４実施形態に係る店舗側の端末４の制御部３８によって実行される処理を示すフローチャートである。
【図１５】一括受け取り所の端末８の制御部４５によって実行される処理を示すフローチャートである。
【符号の説明】
【０１１４】
１  商品
２  Ｅｄｙチップ
３  携帯電話
４  端末
５  Ｅｄｙ読み取り装置
６  ラベル
７  ラベルプリンタ
８  端末
９  Ｅｄｙ読み取り装置
１０  バーコードリーダ
【図１】
2007241913.tif 000003
【図２】
2007241913.tif 000004
【図３】
2007241913.tif 000005
【図４】
2007241913.tif 000006
【図５】
2007241913.tif 000007
【図６】
2007241913.tif 000008
【図７】
2007241913.tif 000009
【図８】
2007241913.tif 000010
【図９】
2007241913.tif 000011
【図１０】
2007241913.tif 000012
【図１１】
2007241913.tif 000013
【図１２】
2007241913.tif 000014
【図１３】
2007241913.tif 000015
【図１４】
2007241913.tif 000016
【図１５】
2007241913.tif 000017